(57)【特許請求の範囲】
【請求項１】
洗浄槽、リンス槽及び温風乾燥槽を備え、前記各槽へ被洗浄物を移送する横搬送アームと、各槽毎にそれぞれ独立した機構の上下搬送アームを備えた洗浄装置において、温風乾燥槽内に設けられた吹出口と、温風乾燥槽内の前記吹出口に対向する位置および／または前記対向する位置の上方に設けられた吸引口とをさらに備え、温風乾燥槽に備えた上下搬送アームに、この上下搬送アームと一体化した蓋を上下搬送アームの被洗浄物支持部に対して少なくとも上下２箇所に設け、上の蓋が前記吹出口および吸引口よりも上に位置するとともに下の蓋が前記吹出口および吸引口よりも下に位置する状態を有することを特徴とする洗浄装置。
【請求項２】
前記下の蓋が少なくとも前記吹出口よりも上に位置する状態をさらに有することを特徴とする請求項１記載の洗浄装置。
【請求項３】
前記上の蓋および下の蓋の少なくとも一方の外周に、前記上の蓋および下の蓋が前記温風乾燥槽の内部に位置するときに前記温風乾燥槽の内面に常に接触するヒレを設けたことを特徽とする請求項１または２記載の洗浄装置。
【発明の詳細な説明】
【０００１】
【発明の属する技術分野】
本発明は、光学部品、金属部品あるいは電気部品及び基板等の洗浄から乾燥までの一連の工程を行う洗浄装置に係り、特に温風が外部へ漏れるの防ぐことが可能な乾燥槽を備えた洗浄装置に関する。
【０００２】
【従来の技術】
従来技術として、実開平５−９３５８７号公報に記載されるように、洗浄槽、リンス槽及び被洗浄物に送風することで乾燥する乾燥槽を合わせもち、一連の工程を順に行うための横搬送機能と、各層毎の上下搬送機能を有する洗浄装置がある。
【０００３】
【発明が解決しようとする課題】
洗浄装置の送風による乾燥工程に於いて、温風が乾燥槽の外部へ漏れると乾燥効率を悪くする。また、漏れた温風の熱により周囲の温度が上がると、付近に揮発性の高い液がある場合、液の揮発が促進されて液の浪費の原因となり、さらには引火性の高い液があると発火するという危険性が生じる。そのため、温風が乾燥槽外へ漏れるのを最小限に抑える必要がある。
【０００４】
しかし、上記のような従来技術にあっては、被洗浄物に送風された風は大半が乾燥槽の外へ出ていってしまい、乾燥効率に問題があった。また、乾燥に温風を用いた場合、乾燥槽内の温度が思うように上がらず、逆に乾燥槽周辺の温度を上げることになり、上述した液の浪費、発火の危険性が生ずる問題があった。
【０００５】
本発明は、上記従来技術の問題点に鑑みてなされたもので、乾燥槽から温風が外部に漏れるのを防ぎ、乾燥効率を高め、乾燥槽付近の液の浪費が少なく安全性の高い洗浄装置を提供することを目的とする。
【０００６】
【課題を解決するための手段】
上記課題を解決するために、本発明は洗浄槽、リンス槽及び温風乾燥槽を備え、前記各槽へ被洗浄物を移送する横搬送アームと、各槽毎にそれぞれ独立した機構の上下搬送アームを備えた洗浄装置において、温風乾燥槽内に設けられた吹出口と、温風乾燥槽内の前記吹出口に対向する位置および／または前記対向する位置の上方に設けられた吸引口とをさらに備え、温風乾燥槽に備えた上下搬送アームに、この上下搬送アームと一体化した蓋を上下搬送アームの被洗浄物支持部に対して少なくとも上下２箇所に設け、上の蓋が前記吹出口および吸引口よりも上に位置するとともに下の蓋が前記吹出口および吸引口よりも下に位置する状態を有する構成とした。
【０００７】
すなわち、本発明は、乾燥槽内に送風された温風を乾燥槽外へ逃がさず、また、乾燥槽内の保温性を良くし、乾燥槽周辺の温度上昇を抑えるものであり、乾燥槽に備えた上下搬送アームの被洗浄物支持部より上に位置する部分及び被洗浄物支持部より下に位置する部分のそれぞれに、洗浄槽内部の横断形状と同形状で横断面積とほぼ同程度の面積を有する上の蓋及び下の蓋を取り付けて構成した。
【０００８】
次に、本発明の作用を説明する。上下搬送アームが下方に移動されて下端位置にある時、上の蓋が温風の吹出口及び吸引口の上かつ乾燥槽上面のやや下側に位置し、下の蓋は吹出口及び吸引口より下に位置し、上の蓋が温風の乾燥槽外への漏れを抑える。また、上下搬送アームが下端位置から上昇して上の蓋が乾燥槽上面より上に上がった時点では、下の蓋が温風の吹出口及び吸引口より上の位置に達して温風の乾燥槽外への漏れを抑え、上下搬送アームが移動の上端位置に達したときに下の蓋は乾燥槽上面より上には位置しない。これにより、上下搬送アームの位置によらず、上の蓋あるいは下の蓋により常に温風の乾燥槽外への漏れを防止することが可能になる。
【０００９】
【発明の実施の形態】
［発明の実施の形態１］
本発明の実施の形態１を図１〜図３に基づいて説明する。
図１〜図３は本実施形態１の洗浄装置の乾燥槽付近を正面から見た図で、図１は上下搬送アームが上端に位置している状態、図２は上下搬送アームが下端に位置している状態、図３は上下搬送アームによる上下搬送途中で上下搬送アームに設けた蓋（上）が乾燥槽上面へ到達した時の状態を示してある。
【００１０】
上下搬送アーム４は被洗浄物３を乾燥槽９の内部に搬送するもので、支持部１１で被洗浄物３を支持できる構造になっており、図１に示す上下搬送アーム４の上端位置及び図２に示す上下搬送アーム４の下端位置の間で上下に移動可能になっている。支持部１１で支持した被洗浄物３は上下搬送アーム４が上端位置にあるとき、横搬送アーム１に押されることにより次槽へ移動可能となっており、また、前工程からの被洗浄物３が支持部１１に支持可能となっている。上下搬送アーム４には、支持部１１より上の部分に蓋（上）２を、支持部１１より下の部分に蓋（下）５をそれぞれ上下搬送アーム４と一体的に設けてある。蓋（上）２及び蓋（下）５は、乾燥槽９内部の大きさ（横断形状）より若干小さく形成してあり、上下搬送アーム４の上下移動を妨げないようになっている。
【００１１】
乾燥槽９の内部には温風の吹出口６と吸引口７が対向する面にそれぞれ設けてあり、吹出口６と吸引口７は上下搬送アーム４が下端にある時に支持部１１の被洗浄物３に対して吹出口６からの温風を当てられる位置に設けてある。また、吸引口７の上方には吸引口８が設けてある。さらに、乾燥槽９の内部の吹出口６及び吸引口７より上の部分には、槽の内周を同一高さで連続的に全て囲んだ凸部１０が設けてある。この凸部１０は上下搬送アーム４の下端時に蓋（上）２と接し、かつ上下搬送アーム４の上端時に蓋（下）５と接する位置に設けてあり、上下搬送アーム４の上端時及び下端時に乾燥槽９の内部を密閉し得るようになっている。
【００１２】
次に、本実施形態の作用を説明する。
上下搬送アーム４の下端時（図２参照）において、支持部１１に支持した被洗浄物３は温風の吹出口６から吹き付けられる温風が当たる位置にあり、被洗浄物３は乾燥させられる。このとき、上下搬送アーム４の蓋（上）２が凸部１０と接して乾燥槽９の内部の凸部１０より下の部分を密閉し、温風が乾燥槽９の外部に漏れるのを防いでいる。
【００１３】
また、上下搬送アーム４の上端時（図１参照）において、蓋（下）５が凸部１０と接して乾燥槽９の内部の凸部１０より下の部分を密閉することで、被洗浄物３の次槽への搬送及び被洗浄物３の支持部１１への供給の際に温風が乾燥槽９の外部に漏れるのを防いでいる。
【００１４】
さらに、上下搬送アーム４が下端から上端に被洗浄物３を搬送する途中（図３参照）、蓋（上）２が乾燥槽９の上面に達しているとき、蓋（下）５は吹出口６より上に位置しているため、蓋（上）２と蓋（下）５の間に残った乾燥槽９内部の温かい空気は吸引口８により吸引され、上下搬送アーム９がさらに上昇しても、乾燥槽９の外部に温かい空気が持ち出されない。
【００１５】
本実施形態によれば、被洗浄物３の乾燥時から単なるヒーターによる保温時に至るまで常に乾燥槽９から温風が外に漏れるのを最小限に抑えることができる。このため、乾燥効率を高い水準に維持でき、かつ乾燥槽９の周辺の温度にほとんど影響を与えることがなくなるので、他の槽の揮発性の高い液の蒸発が少なくなり、液の浪費を抑えることができる。また、引火性の高い液などが発火する危険性が少なくなり安全性を保つことができる。
【００１６】
［発明の実施の形態２］
本発明の実施の形態２を図４〜図６に基づいて説明する。
図４〜図６は本実施形態２の洗浄装置の乾燥槽付近を正面から見た図で、図４は上下搬送アームが上端に位置している状態、図５は上下搬送アームが下端に位置している状態、図６は上下搬送アームによる上下搬送途中で上下搬送アームに設けた蓋（上）が乾燥槽上面へ到達した時の状態を示してある。
【００１７】
本実施形態の乾燥槽９に備えた上下移動可能な上下搬送アーム４には、実施形態１と同様に、支持部１１に被洗浄物３を乗せることができ、上下搬送アーム４が上端位置にあるとき、被洗浄物９は横搬送アーム１に押されて次槽に移動可能となっているとともに、新たな被洗浄物３が支持部１１に乗せられるようになっている。上下搬送アーム４には、その支持部１１より上の部分と下の部分にそれぞれ上下搬送アーム４と一体的に蓋（上）２と蓋（下）５を設けてある。乾燥槽９の内部には、実施形態１と同様の位置に温風吹出口６及び吸引口７が設けてあり、吸引口７の上方に吸引口８が設けてある。
【００１８】
蓋（上）２及び蓋（下）５の全外周にはゴム状の材質からなるヒレ１２が設けられており、蓋（上）２及び蓋（下）５が乾燥槽９の内部に位置するときには、常にヒレ１２が乾燥槽９の内面に接触して乾燥槽９の内部を密閉し得るようになっている。
【００１９】
次に、本実施形態の作用を説明する。
実施形態１と同じく、上下搬送アーム４が下端に位置する（図５参照）ときには、蓋（上）２が吹出口６及び吸引口７上方で乾燥槽９を密閉し、温風が乾燥槽９から外部へ漏れるのを防ぐ。支持部１１に乗せた被洗浄物３の乾燥が終了した後、上下搬送アーム４が上昇し、蓋（上）２が乾燥槽９の上面より上に位置したら蓋（下）５が吹出口６及び吸引口より上に位置することで常に温風が乾燥槽９から漏れるのを防止する（図４参照）。すなわち、上下搬送アーム４が搬送途中、または上下端に位置するときには常に蓋（上）２または蓋（下）５の外周に設けたヒレ１２が乾燥槽９の内部に接した面より下の部分を密閉するようになっている。
【００２０】
また、実施形態１と同じく、上下搬送アーム４の上昇途中、蓋（上）２と蓋（下）５の間に残った温かい空気は吸引口８により吸引され、さらに上下搬送アーム４が上昇しても温かい空気は乾燥槽９から持ち出されない。
【００２１】
本実施形態２によれば、上下搬送アーム４が上下端に位置するときのみでなく、上下搬送アーム４の搬送途中にも蓋に設けたヒレ１２が乾燥槽９の内面と接触して乾燥槽９の内部を密閉できるため、実施形態１に比べ、蓋と乾燥槽９との隙間からのわずかな温風の漏れをも防ぐことができる。そのため、実施形態１よりもさらに液の蒸発防止、安全性を高めることができる。
【００２２】
【発明の効果】
以上のように、本発明によれば、乾燥用の温風がほとんど乾燥槽の外へ漏れることがなく被洗浄物に無駄なく温風を吹き付けられ、乾燥効率を上げることができる。さらに、温風の漏れを防ぐことで乾燥槽外周辺の温度上昇を抑えることができ、乾燥槽付近の揮発性の高い液の蒸発を抑え、引火性の高い液の発火の恐れも少なくなり、液の浪費が少なく安全性の高い乾燥工程付き洗浄装置を提供することができる。
【図面の簡単な説明】
【図１】本発明の実施形態１の洗浄装置の乾燥槽付近を示す正面図である。
【図２】本発明の実施形態１の洗浄装置の乾燥槽付近を示す正面図である。
【図３】本発明の実施形態１の洗浄装置の乾燥槽付近を示す正面図である。
【図４】本発明の実施形態２の洗浄装置の乾燥槽付近を示す正面図である。
【図５】本発明の実施形態２の洗浄装置の乾燥槽付近を示す正面図である。
【図６】本発明の実施形態２の洗浄装置の乾燥槽付近を示す正面図である。
【符号の説明】
１  横搬送アーム
２  蓋（上）
３  被洗浄物
４  上下搬送アーム
５  蓋（下）
６  吹出口
７、８  吸引口
９  乾燥槽
１０  凸部
１１  支持部
１２  ヒレ
【図１】
0003802602.tif 000002
【図２】
0003802602.tif 000003
【図３】
0003802602.tif 000004
【図４】
0003802602.tif 000005
【図５】
0003802602.tif 000006
【図６】
0003802602.tif 000007